【事件の表示】
　特許第３４０３１０６号「動画像記録装置」の請求項１から請求項９までに係る特許に対する特許異議の申立てについて、次のとおり決定する。
【結　論】
　訂正を認めない。
　特許第３４０３１０６号の請求項１、請求項８（請求項１を引用する部分に限る）および請求項９（請求項１を引用する部分に限る）に係る特許を取り消す。
　特許第３４０３１０６号の請求項２から請求項７まで、請求項８（請求項１を引用する部分を除く）および請求項９（請求項１を引用する部分を除く）に係る特許を維持する。
【理　由】
第一．経緯
（１）手続
　（ａ）特許第３４０３１０６号（設定登録時の請求項の数：９）に係る出願は、平成１１年２月８日の出願であり、その発明について、平成１５年２月２８日に特許権の設定の登録があった。
　その後、その請求項１から請求項９まで（全請求項）に係る特許について、特許異議申立人・佐藤勝明から平成１５年１１月５日に、特許異議申立人・金子和弘から平成１５年１１月６日に、それぞれ、特許異議の申立てがあった。
　（ｂ）平成１６年６月２日付けで取消しの理由が通知されたところ、同通知において指定された期間内に特許異議意見書および訂正請求書（いずれも平成１６年８月６日付け）が提出された。
　特許異議意見書および訂正請求書が各申立人に送付されたところ、各申立人より、回答書が提出された。
　平成１６年１２月１６日付けで訂正の請求が適合しない理由（訂正拒絶理由）が通知されたところ、何らの応答もないまま同通知で指定された期間が経過した。
　
第二．訂正の採否
　〈結論〉
　訂正を認めない。
　〈理由〉
１．請求の趣旨等
　訂正の請求（平成１６年８月６日付け）の趣旨は、願書に添付した明細書（特許明細書）を請求書に添付した訂正した明細書（訂正明細書）のとおりに訂正することを求めるものであり、その内容は、要約、下記のとおりである。
　（ａ）訂正事項１
　請求項１において、「画像読み出し手段、および」（訂正前）とあるのをを、「画像読み出し手段、前記画像書き込み手段が前記内部メモリにアクセスするとき前記画像読み出し手段を不能化する第１不能化手段、および」（訂正後）と訂正する
　（ｂ）訂正事項２
　請求項１において、「前記画像書き込み手段を不能化する不能化手段」（訂正前）とあるのを、「前記画像書き込み手段を不能化する第２不能化手段」（訂正後）と訂正する。
　（ｃ）訂正事項３
　請求項７において、「前記不能化手段は」（訂正前）とあるのを、「前記第２不能化手段は」（訂正後）と訂正する。
　（ｄ）訂正事項４から訂正事項７まで
　段落0004、段落0005、段落0007および段落0009の記載について、それぞれ、その一部を訂正する（内容は省略）。
　
２．訂正の適合性
　（ａ）訂正事項１は、請求項１（訂正前）に、「前記画像書き込み手段が前記内部メモリにアクセスするとき前記画像読み出し手段を不能化する第１不能化手段」との事項を付加するものである。しかし、この事項は、特許明細書および図面に記載されておらず、しかも、同明細書および図面の記載からみて自明の事項であるともいえない。
　したがって、訂正事項１は、願書に添付した明細書又は図面に記載した事項の範囲内においてする訂正ではない。 
　（ｂ）特許権者は、訂正事項１に係る事項は特許明細書の段落0035にその記載があると主張する。しかし、この主張は以下のとおり当を得ない。
　（ｂ１）特許明細書の段落0035には、「ＣＰＵ３２は続いて、ステップＳ６１でＳＤＲＡＭ２８へのアクセスが可能かどうか判断する。シャッタボタン５８が押されている期間、メモリ制御回路２６は、ＣＰＵ３２だけでなく、信号処理回路２２および４６、ＪＰＥＧコーデック３０およびビデオエンコーダ３８からもアクセスリクエストを受け、これらのリクエストを調停しながらＳＤＲＡＭ２８に対する書き込み／読み出しを行う。」と記載されている。
　しかし、ここには、メモリ制御回路２６が、種々のアクセスリクエストを受けつつ、これらのリクエストを「調停」しながらＳＤＲＡＭ２８に対する書き込み／読み出しを行うことが記載されているに過ぎない。メモリ制御回路２６がＪＰＥＧコーデック３０からアクセスリクエストを受けるとの記載から、「画像書き込み手段が内部メモリにアクセスする」ことは認められるが、そのとき画像読み出し手段を「不能化」するとは記載されていない。
　（ｂ２）「書き込み手段を不能化する」は、ブロックフラグを使用し同フラグが１のときに書き込みモード自体を強制的に「終了」すること（図５、Ｓ７のＮＯからエンドに至る手順）に対応する。
　これに対して、同段落の「このため、ステップＳ６１ではメモリ制御回路２６に対してリクエストを出力し、メモリ制御回路２６から許可信号が返ってきたときにＹＥＳと判断する。」や「このため、ＣＰＵ３２は許可信号に続いて１バイトのデータを受ける。」との記載、および、図８に示されたＳ６１の手順（メモリアクセス可？の判定結果がＮＯの場合）を見ると、「画像書き込み手段が内部メモリにアクセスするとき」には、ＣＰＵ３２は許可信号が返ってくるまで単に一時的に「待機」しているにすぎない。ＣＰＵ３２の読み出し動作の開始を一時的に待機させることを「読み出し手段を不能化する」とすることはできない。
　
３．むすび
　以上のとおりであるから、この訂正の請求は、特許法第１２０条の４第３項において準用する同法第１２６条第２項の規定に適合しないので、訂正を認めない。 
　
第三．本件発明
　訂正を認めない。
　訂正前の請求項１から請求項９までに係る発明は、特許明細書の特許請求の範囲の請求項１から請求項９までに記載された事項によりに特定されるところの、下記のとおりのものである。
　　　　　記（特許請求の範囲）
　【請求項１】　動画像を形成するかつ所定フレームレートで得られる複数フレームの圧縮画像データを内部メモリを介して記録媒体に記録する動画像記録装置において、
　前記圧縮画像データを前記内部メモリに循環的に書き込む画像書き込み手段、
　前記圧縮画像データを前記内部メモリから循環的に読み出す画像読み出し手段、および
　前記内部メモリ上で画像書き込み位置が画像読み出し位置を追い越す前に前記画像書き込み手段を不能化する不能化手段を備え、
　前記画像書き込み手段の書き込み速度は前記画像読み出し手段の読み出し速度よりも速いことを特徴とする、動画像記録装置。
　【請求項２】　前記内部メモリは複数の画像ブロックを有し、
　それぞれの画像ブロックは所定フレーム数の圧縮画像データに相当する容量を持つ、請求項１記載の動画像記録装置。
　【請求項３】　前記画像書き込み手段は、それぞれの画像ブロックを１つずつかつ循環的に指定する指定手段、および前記指定手段によって指定された画像ブロックに前記所定フレーム数の圧縮画像データを書き込む画像データ書き込み手段を含む、請求項２記載の動画像記録装置。
　【請求項４】　前記複数の画像ブロックにそれぞれ対応するかつアクセス状態を示す複数のブロックフラグをさらに備える、請求項２または３記載の動画像記録装置。
　【請求項５】　前記画像書き込み手段は、１つの画像ブロックへの書き込みが完了する毎に対応するブロックフラグをセットするセット手段、および１つの画像ブロックからの読み出しが完了する毎に対応するブロックフラグをリセットするリセット手段をさらに含む、請求項４記載の動画像記録装置。
　【請求項６】　前記画像読み出し手段は、１つの画像ブロックから所定バイト数ずつ前記圧縮画像データを読み出す画像データ読み出し手段、および前記所定バイト数の読み出しが完了する毎に読み出しアドレスを更新する更新手段を含み、
　前記リセット手段は、前記読み出しアドレスを検出する検出手段、および前記検出手段の検出結果に基づいて前記画像ブロックからの読み出しの完了を判別する判別手段を含む、請求項５記載の動画像記録装置。
　【請求項７】　前記不能化手段は前記ブロックフラグの状態に応じて前記画像書き込み手段を不能化する、請求項４ないし６のいずれかに記載の動画像記録装置。
　【請求項８】　前記所定フレームレートで被写体像を撮影して複数フレームの画像データを生成する撮影手段、および
　前記撮影手段から出力された各フレームの画像データを個別に圧縮する圧縮手段をさらに備える、請求項１ないし７のいずれかに記載の動画像記録装置。
　【請求項９】　前記圧縮画像データに対応する音声データを前記内部メモリに循環的に書き込む音声書き込み手段、および
　前記音声データを前記内部メモリから循環的に読み出して前記記録媒体に記録する音声読み出し手段をさらに備える、請求項１ないし８のいずれかに記載の動画像記録装置。
　
第四．特許異議の申立てについて
１．申立ての概要
　特許異議の申立ての理由は、概略、下記のとおりである。
　　　　　記１（申立人・佐藤の理由）
　　請求項　：請求項１から請求項９まで（全請求項）
　　違反条項：特許法第２９条第２項
　　証拠方法：特開昭６３−６４４８５号公報（甲１） 
　　　　　　　特開平１０−１３６３０７号公報（甲２） 
　　　　　　　特開平１０−２７６４０２号公報（甲３） 
　　　　　　　特開昭６３−２８４９８７号公報（甲４） 
　　　　　　　特表平３−５０６１１１号公報（甲５） 
　　　　　　　特開平５−１６１１０７号公報（甲６） 
　　　　　　　特開平６−９０４２３号公報（甲７） 
　　　　　　　特開平９−３３１５０１号公報（甲８） 
　　　　　記２（申立人・金子の理由）
　　請求項　：請求項１から請求項９まで（全請求項）
　　違反条項：特許法第２９条第２項
　　証拠方法：特開平９−１２１２７０号公報（甲１） 
　　　　　　　特開平７−９９６２８号公報（甲２） 
　
２．取消理由通知
　当審が通知した取消しの理由は、概略、下記のとおりである。
　　　　　記（取消しの理由）
　請求項１から請求項９までに係る発明は、いずれも、下記刊行物に記載された発明に基づいて当業者が容易に発明をすることができたものであるから、各請求項に係る特許は、いずれも、特許法第２９条第２項の規定に違反してされたものである。
　　　　　記（刊行物）
　刊行物１：特開昭６３−６４４８５号公報
　刊行物２：特開平１０−１３６３０７号公報
　刊行物３：特開平１０−２７６４０２号公報
　刊行物４：特開昭６３−２８４９８７号公報
　刊行物５：特表平３−５０６１１１号公報
　刊行物６：特開平５−１６１１０７号公報
　刊行物７：特開平６−９０４２３号公報
　刊行物８：特開平９−３３１５０１号公報
　刊行物９：特開平９−１２１２７０号公報
　刊行物10：特開平７−９９６２８号公報
　
３．取消しの理由の検討
（３−１）引用刊行物の記載
　取消しの理由で引用した刊行物１０および刊行物９には、以下の事項が記載されている。
　（ａ）刊行物１０（特開平７−９９６２８号公報）
　〈基本構成〉
　　（ア）「図１は、本発明の第１実施例に係る撮像装置のブロック図である。図１に示すように、被写体の画像は、動画（動画情報）として撮像手段１によって電気信号に変換され、Ａ／Ｄ変換器２によってデジタル信号に変換される。信号処理回路３は、Ａ／Ｄ変換器２の出力信号（デジタル信号）に必要な処理を行ない、動画データとしてリングバッファ４に送出する。」（段落）0013前段）
　　（イ）「リングバッファ４は、ある一定時間分の動画を記録できる記憶手段であり、上記したように信号処理回路３からの動画データを格納する。記憶媒体５は、リングバッファ４に記録された動画データから取り出した動画または静止画を保存するための記憶手段である。」（段落0014前段）
　〈外部との接続〉
　　（ウ）「外部機器インターフェース１２は、内部にＤ／Ａ変換器１２０１、Ａ／Ｄ変換器１２０２、ＳＣＳＩインターフェース１２０３を備え、アナログの画像及び音声信号、並びにデジタル信号の入出力を行なうことができる。リングバッファ４及び記憶媒体５に記録された動画または静止画は、ＡＶ機器やパーソナルコンピュータのような外部の情報機器に取り込むことができ、逆にこれらの機器から画像データなどを取り込むことも可能となっている。」（段落0040）
　〈音声データ〉
　　（エ）「なお、本実施例においては、リングバッファ４に送出されて記憶されるデータには、一般のビデオカメラの場合と同様に音声による情報も含まれており、この音声データは、撮影時にマイクでピックアップした音声信号をデジタル化した後、適宜変換処理したものとなっている。ここで以下の説明では、撮影時に同時にリングバッファ４に記録した音声データについての説明を割愛するが、動画データにはこの音声信号が付帯して含まれているものとして理解されたい。」（段落0013後段）
　〈リングバッファ〉
　　（オ）「リングバッファ４は、一定時間分の動画の各フレームの画像データを格納するフレームバッファ４０１が、概念的に環状に配置された構成を持つ。すなわち、リングバッファ４上のある位置から順に書き込みを開始して記憶領域の最後まで書き込みが行なわれると、それ以降のデータは自動的に領域の先頭から上書きされるような構成になっている。したがって、リングバッファ４は撮像手段１が撮影した動画をエンドレスに記録し続けることができ、常に過去の一定時間分の動画が記録されていることになる。」（段落0020）
　　（カ）「リングバッファ４におけるデータの書き込み位置と読み出し位置は常に変化するため、制御装置９は、書き込みポインタ４０２と読み出しポインタ４０３によって読み／書き位置を特定する。　書き込みポインタ４０２は、記録開始前にはリングバッファ４を構成するフレームバッファ４０１のうちのいずれか１つの先頭を示している。記録開始と共に信号処理回路３からの動画データの格納を行ない、それに従って書き込みポインタ４０２の示す位置も移動する。記録が停止されると、書き込みポインタ４０２は書き込み中であったフレームバッファ４０１の先頭を示し、書き込み途中であったフレームのデータは放棄される。　読み出しポインタ４０３は、常に最も古いデータが記録されているフレームバッファ４０１の先頭を示す。従って、動画データを格納中に書き込みポインタ４０２が読み出しポインタ４０３の位置まできた場合、読み出しポインタ４０３が示す位置は、次に古いデータが記録されているフレームバッファ４０１の先頭に移動する。」（段落0021〜段落0023、図２）
　〈２つのリングバッファの使用〉
　　（キ）「本実施例では、第１のリングバッファ４Ａと第２のリングバッファ４Ｂとを備え、制御装置９の制御により、各リングバッファ４Ａ、４Ｂはそれぞれ独立して書き込みと読み出しを行なうことができるようになっている。」（段落0043、図１１）
　　（ク）「このような構成とすることによって、図１２の（ａ）に示すように、第１のリングバッファ４Ａへの記録動作中に、第１のリングバッファ４Ａへの読み出し指令が到来して第１のリングバッファ４Ａへの記録を停止すると、同時に第２のリングバッファ４Ｂへの記録が開始され、第２のリングバッファ４Ｂへの記録停止指令が到来するまで第２のリングバッファ４Ｂへの記録が続行される。そして、第２のリングバッファ４Ｂへの記録を停止すると、同時に再度第１のリングバッファ４Ａへの記録が開始される。したがって、一方のリングバッファに記録された動画を記憶媒体５に複写する等のために読み出しを行なっている期間は、他方のリングバッファによって動画の記録を続行することができ、撮り逃しをする恐れがさらに少なくなる。」（段落0044、図１２）
　〈圧縮画像データの記録〉
　　（ケ）「本実施例は画像データの圧縮・伸張を行なう場合への適用例である。・・・制御装置９により、動画または静止画の記録が行なわれると、画像圧縮ハードウェア１１により自動的にデータが圧縮されて記録が行なわれ、動画または静止画の再生が行われると、読み出されたデータが画像圧縮ハードウェア１１により自動的に伸張されて再生が行なわれる。すなわち、長時間の動画データの記録には多量のメモリを必要とするため、装置自体が高価で大型のものになってしまう恐れがある。そこで本実施例では、リングバッファ４に動画データを記録する前にデータを圧縮することによって、必用とするメモリの量を低減させることを可能としている。あるいは、搭載するメモリを増加させることなく、リングバッファ４の記録時間を増やすことを可能としている。」（段落0039）
　（ｂ）刊行物９（特開平９−１２１２７０号公報）
　〈リングバッファモード〉
　　（コ）「特開平５−１８３６７４号公報は、フレームメモリーに画像データを一時的に記憶し、外部装置へ出力する画像入出力装置を開示している。この画像入出力装置では、画像を読み取った後、Ａ／Ｄ変換する毎にフレームメモリーに書き込み、１画面分の画像データの書き込みが終わったら、外部装置に一括して出力する「フレームバッファモード」と、Ａ／Ｄ変換値をフレームメモリーに書き込みながら、外部装置への出力も行う「リングバッファモード」とを有し、画像データの大きさに応じて何れかのモードに切り替える方法を開示している。」（段落0002）
　　（サ）「ここで、「リングバッファ」とは、例えば００（１６進）からＦＦ（１６進）までのアドレスを有したメモリーに対して書き込みや読み出しを行う場合、順次アドレスを増加し、アドレスが「ＦＦ」になっても書き込みや読み出しを停止せず、アドレスを「００」に戻して書き込みや読み出しを続け、メモリーを「リング」状に使うことである。通常はメモリーへの書き込み速度とメモリーからの読み出し速度が異なり、かつ書き込み速度が読み出し速度より速い場合にメモリーを「リング」状に使うことが出来る。
」（段落0003）
　　（シ）「その場合、読み出しアドレスが書き込みアドレスに追従することになる。但し、書き込みアドレスが一巡して（リング状のメモリーを一周して）、読み出しアドレスに追い付いてしまった時は、１周前のデータが読み出されない内に新しいデータを書込むことになってしまうので、新たな書き込みが出来ず、読み出しが追い付くまで待機しなければならない。」（段落0004）
　〈追い付いてからの書き込みの禁止〉
　　（ス）「ここで、記憶手段１２は「ＲＡＭ」や「ＤＲＡＭ」等のランダムアクセス可能な記憶媒体であるが、前述したフレームメモリーのような大容量のものではなく、大きくても１ライン分の画像データを記憶するだけの容量のものである。但し、書き込み速度と読み出し速度は異なるので、記憶手段はリングバッファとして使用することになる。」（段落0018）
　　（セ）「また、書き込み制御手段１１は、書き込みアドレス（ＡＷ）が一巡して読み出しアドレス（ＡＲ）に追い付くまでは記憶手段１２への書き込みを行うが、追い付いてから書き込みアドレスの方が大きい期間は書き込みを禁止するようにする。」（段落0019）
　
（３−２）請求項１に係る発明（本件発明１）について
　（ａ）本件発明１と刊行物１０記載の発明との対比
　本件発明１と刊行物１０記載の発明とを対比する。
　（ａ１）動画像記録装置
　上記記載（ア）および（イ）によれば、被写体の画像は、動画情報として撮像手段１によって変換された電気信号を、Ａ／Ｄ変換器２によってデジタル信号に変換し信号処理回路３によってデジタル信号に必要な処理を行ない、動画データとしてリングバッファ４に記録する。リングバッファ４に記録された一定時間分の動画の動画データは、読み出されて記憶媒体５に保存される。
　上記記載（ウ）によれば、リングバッファ４や記憶媒体５に記録された動画データは、外部機器インターフェース１２により、外部の情報機器（ＡＶ機器やパーソナルコンピュータ）に取り込むこともできる。リングバッファ４は撮像装置の内部に配置されたメモリ（内部メモリ）である。
　本件発明１にいう「動画像を形成するかつ所定フレームレートで得られる複数フレームの画像データを内部メモリ（リングバッファ４）を介して記録媒体（記憶媒体５）に記録する動画像記録装置（撮像装置）」が開示されている。
　（ａ２）リングバッファの書込み・読出し
　上記記載（オ）および（カ）によれば、リングバッファ４は、フレームバッファ４０１が環状（概念的）に配置された構成を持ち、バッファ上の記憶領域のある位置から最後まで順に書き込みをし、それ以降は自動的に領域の先頭から上書きをすることにより、動画データをエンドレスに記録し続ける。リングバッファ４におけるデータの書き込み位置と読み出し位置は常に変化するため、制御装置９は、書き込みポインタ４０２と読み出しポインタ４０３によって読み／書き位置を特定する。
　本件発明１にいう「画像データを内部メモリに循環的に（エンドレスに）書き込む画像書き込み手段、画像データを内部メモリから循環的に（エンドレスに）読み出す画像読み出し手段」に相当する手段の存在が認められる。
　（ａ３）リングバッファの同時動作
　（ａ３１）リング状メモリの事情
　刊行物９（記載（コ）、（サ）、（シ））には、フレームメモリーに画像データを一時的に記憶し、外部装置へ出力するような画像入出力装置には、画像を読み取った後、Ａ／Ｄ変換する毎にフレームメモリーに書き込みながら、外部装置への出力も行う「リングバッファモード」を有しているものがあり、ここで「リングバッファ」とは、順次増加するアドレスが「ＦＦ（１６進）」になっても書き込みや読み出しを停止せず、アドレスを「００（１６進）」に戻して書き込みや読み出しを続け、メモリーを「リング」状に使うことであるとした上で、通常は、メモリーへの書き込み速度とメモリーからの読み出し速度が異なり、かつ書き込み速度が読み出し速度より速い場合にメモリーを「リング」状に使うことが出来ると記載されている。さらに、その場合、書き込みアドレスが一巡して（リング状のメモリーを一周して）読み出しアドレスに追い付いてしまった時は、１周前のデータが読み出されない内に新しいデータを書込むことになってしまうので、新たな書き込みが出来ず、読み出しが追い付くまで待機しなければならないという問題点も記載されている。
　刊行物９のこれらの記載は、リング状メモリの一般的事情を述べたものであると認められる。
　（ａ３２）上記記載（キ）および（ク）によれば、刊行物１０には、リングバッファ４Ａへの記録動作中にリングバッファ４Ａへの読み出し指令が到来すると（記憶媒体５への複写）、リングバッファ４Ａへの記録を停止すると同時にリングバッファ４Ｂへの記録を開始し、リングバッファ４Ａに記録された動画を記憶媒体５に読み出す。リングバッファ４Ｂへの記録はその記録停止指令が到来するまで続行され、そして、リングバッファ４Ｂへの記録を停止すると同時に再度リングバッファ４Ａへの記録が開始されること、すなわち、リングバッファに対して書き込みと読み出しを同時に行うとの要求があるところ、１個のリングバッファを使用する限りは、読み出し中に記録を行うことは不可能であり、このような場合、読み出しが開始される前にやむなく書き込みを停止せざるを得ない、との事情を開陳するとともに、複数のリングバッファを使用し、「記録動作中に読み出し指令が到来すると記録を停止する」と同時に他のリングバッファへの記録を開始することにより、記録を続行することが記載されている。
　（ａ３３）ここで、「記録動作中に読み出し指令が到来すると記録を停止する」ことの詳細は、刊行物９の上記記載（ａ３１）に照らせば、以下のとおりであると認められる。
　リングバッファは、書き込みポインタ４０２と読み出しポインタ４０３（制御装置９が特定する）を備え、動画データを格納中に書き込みポインタ４０２が読み出しポインタ４０３の位置まできた場合、読み出しポインタ４０３が示す位置は自動的に上書きされ、次に古いデータが記録されているフレームバッファ４０１の先頭に移動するように動作をする。しかし、このような動作では、書き込みと読み出しを同時に行う場合、読み出し指令の到来により一度読み出し開始位置が特定された後においてそのまま書き込みを続けていくと、いずれ読み出し開始位置（又は、現に読み出している位置）に到達し読み出すべき領域を上書きする事態に至るととなる。そこで、これを回避するために、「動画データを格納中に書き込みポインタ４０２が読み出しポインタ４０３の位置まできた場合」より以前に、「記録を停止する」ことが認められる。
　（ａ３４）刊行物１０には、本件発明１の表現を借りると、「内部メモリ上で画像書き込み位置が画像読み出し位置
に来る前に
　もっとも、本件発明１の内部メモリは、「画像書き込み手段の書き込み速度は画像読み出し手段の読み出し速度よりも速（い）」く、「画像書き込み位置」が移動する「画像読み出し位置」を追いかけて行くタイプのメモリであり、したがって、不能化手段は、「内部メモリ上で画像書き込み位置が画像読み出し位置を追い越す前に不能化する」ものである。相違が認められる。
　（ｂ）一致点・相違点
　本件発明１と刊行物１０記載の発明との一致点および相違点は下記のとおりである。
　　　　　記（一致点）
　動画像を形成するかつ所定フレームレートで得られる複数フレームの画像データを内部メモリを介して記録媒体に記録する動画像記録装置において、
　画像データを内部メモリに循環的に書き込む画像書き込み手段、
　画像データを内部メモリから循環的に読み出す画像読み出し手段、
　内部メモリ上で画像書き込み位置が画像読み出し位置
に来る前に
　動画像記録装置。
　　　　　記（相違点）
　〈相違点１〉
　内部メモリに書き込む画像データが、本件発明１では、「圧縮画像データ」であるのに対して、刊行物１０では、圧縮されたものではない点。
　〈相違点２〉
　内部メモリは、
　本件発明１では、「画像書き込み手段の書き込み速度は画像読み出し手段の読み出し速度よりも速い」タイプのメモリであり、したがって、「画像書き込み位置が画像読み出し位置
に来る前に
を追い越す前に
　刊行物１０には、「画像書き込み手段の書き込み速度は画像読み出し手段の読み出し速度よりも速い」との記載はなく、「画像書き込み位置が画像読み出し位置
に来る前に
　（ｃ）相違点等の検討
　〈相違点１〉
　刊行物１０には、リングバッファ４に動画データを記録する前にデータを圧縮することが記載されている（上記記載（ケ））。
　相違点１に係る構成は、刊行物１０のこの記載を参照することにより、当業者が容易になし得ることである。
　〈相違点２〉
　上記記載（ス）および（セ）によれば、刊行物９には、フレームメモリを、「画像書き込み手段の書き込み速度は画像読み出し手段の読み出し速度よりも速い」という態様でリング状に使う場合において、書き込みアドレスが一巡して読み出しアドレスに追い付くまでは記憶手段１２への書き込みを行うが、追い付いてからは（書き込みアドレスの方が大きい期間は）書き込みを禁止することが記載されている。
　また、刊行物１０も刊行物９もいずれもリング状メモリを画像データのバッファメモリとすることで共通するものであり、しかも、書き込みと読み出しを同時に行う際の問題点を解決する手段を提供する点においても共通するものである。
　そうすると、相違点２に係る構成は、刊行物１０のリングバッファ４Ａにおいて、刊行物９記載を参照することにより、当業者が容易になし得ることである。
　〈備考〉
　なお、刊行物１０では、リングバッファ４Ａの記録を停止した後リングバッファ４Ｂの記録を開始するので、書き込み動作全体を不能化している訳ではない。しかし、リングバッファ４Ａ、４Ｂは「それぞれ独立して」（上記記載（キ））書き込みと読み出しを行なうことができるとされており、しかも、リングバッファ４Ｂへの記録は「書き込みの中断」を回避するために別途する対処でありリングバッファ４Ａへの記録を停止とは独立した動作であると見ることができるので、リングバッファ４Ａの書き込み動作について、それを不能化するという独立した思想を認めることができる。リングバッファ４Ｂへの記録の続行は相違点２の本質をなすものではない。
　〈効果等〉
　以上のとおり、上記相違点１および相違点２に係る構成は当業者が容易になし得ることであるところ、これら相違点を総合しても格別の作用をなすとは認められない。本件発明１の効果も、刊行物１０および刊行物９の記載から予測することができる程度のものにすぎない。
　（ｄ）まとめ（本件発明１）
　以上、請求項１に係る発明は、刊行物１０および刊行物９に記載された発明に基づいて、当業者が容易に発明をすることができたものと認める。
　
（３−３）請求項８（請求項１を引用する部分に限る、本件発明８の１）に係る発明
　（ａ）本件発明８の１と刊行物１０記載の発明との対比
　本件発明１と刊行物１０記載の発明についてした上記対比を援用する。
　請求項８に係る事項は、「前記所定フレームレートで被写体像を撮影して複数フレームの画像データを生成する撮影手段、および、前記撮影手段から出力された各フレームの画像データを個別に圧縮する圧縮手段をさらに備える」である。しかし、このうち「前記所定フレームレートで被写体像を撮影して複数フレームの画像データを生成する撮影手段」は、刊行物１０（上記記載（ア））に記載されている。
　（ｂ）一致点・相違点
　本件発明８の１と刊行物１０記載の発明との一致点および相違点は下記のとおりである。
　　　　　記（一致点）
　動画像を形成するかつ所定フレームレートで得られる複数フレームの画像データを内部メモリを介して記録媒体に記録する動画像記録装置において、
　画像データを内部メモリに循環的に書き込む画像書き込み手段、
　画像データを内部メモリから循環的に読み出す画像読み出し手段、
　内部メモリ上で画像書き込み位置が画像読み出し位置に来る前に画像書き込み手段を不能化する不能化手段、
　
所定フレームレートで被写体像を撮影して複数フレームの画像データを生成する撮影手段をさらに
　動画像記録装置。
　　　　　記（相違点）
　〈相違点１〉
　内部メモリに書き込む画像データが、本件発明１では、「圧縮画像データ」であり、「
撮影手段から出力された各フレームの画像データを個別に圧縮する圧縮手段
　〈相違点２〉  
　本件発明１に係る上記相違点２と同じ。
　（ｃ）相違点等の検討
　相違点１と相違点２、および効果等についての判断は、本件発明１についてした上記判断と同じである。
　（ｄ）まとめ（本件発明８の１）
　以上、請求項８に係る発明（請求項１を引用する部分に限る）は、刊行物１０および刊行物９に記載された発明に基づいて、当業者が容易に発明をすることができたものと認める。
　
（３−４）請求項９（請求項１を引用する部分に限る、本件発明９の１）に係る発明
　（ａ）本件発明９の１と刊行物１０記載の発明との対比
　本件発明１と刊行物１０記載の発明についてした上記対比を援用する。
　請求項９に係る事項は、「前記圧縮画像データに対応する音声データを前記内部メモリに循環的に書き込む音声書き込み手段、および　前記音声データを前記内部メモリから循環的に読み出して前記記録媒体に記録する音声読み出し手段をさらに備える」である。しかし、この事項は刊行物１０に記載されている。すなわち、上記記載（エ）によれば、動画データには、デジタル音声信号（撮影時にピックアップした音声）が付帯して含まれることが記載されている。
　（ｂ）一致点・相違点
　本件発明９の１と刊行物１０記載の発明との一致点および相違点は下記のとおりである。
　　　　　記（一致点）
　動画像を形成するかつ所定フレームレートで得られる複数フレームの画像データを内部メモリを介して記録媒体に記録する動画像記録装置において、
　画像データを内部メモリに循環的に書き込む画像書き込み手段、
　画像データを内部メモリから循環的に読み出す画像読み出し手段、
　内部メモリ上で画像書き込み位置が画像読み出し位置に来る前に画像書き込み手段を不能化する不能化手段を備え、
　
圧縮画像データに対応する音声データを内部メモリに循環的に書き込む音声書き込み手段、および　音声データを内部メモリから循環的に読み出して記録媒体に記録する音声読み出し手段をさらに
　動画像記録装置。
　　　　　記（相違点）
　〈相違点１〉
　本件発明１に係る上記相違点１と同じ。
　〈相違点２〉
　本件発明１に係る上記相違点２と同じ。
　（ｃ）相違点等の検討
　相違点１と相違点２、および効果等についての判断は、本件発明１についてした上記判断と同じである。
　（ｄ）まとめ（本件発明９の１）
　以上、請求項９に係る発明（請求項１を引用する部分に限る）は、刊行物１０および刊行物９に記載された発明に基づいて、当業者が容易に発明をすることができたものと認める。
　
（３−５）請求項２に係る発明（本件発明２）について
　（ａ）本件発明２と刊行物１０記載の発明との対比
　本件発明１と刊行物１０記載の発明についてした上記対比を援用する。
　請求項２に係る事項は、「前記内部メモリは複数の画像ブロックを有し、それぞれの画像ブロックは所定フレーム数の圧縮画像データに相当する容量を持つ、」である。
　（ｂ）一致点・相違点
　本件発明２と刊行物１０記載の発明との一致点および相違点は下記のとおりである。
　　　　　記（一致点）
　動画像を形成するかつ所定フレームレートで得られる複数フレームの画像データを内部メモリを介して記録媒体に記録する動画像記録装置において、
　画像データを内部メモリに循環的に書き込む画像書き込み手段、
　画像データを内部メモリから循環的に読み出す画像読み出し手段、および
　内部メモリ上で画像書き込み位置が画像読み出し位置に来る前に画像書き込み手段を不能化する不能化手段を備えた、
　動画像記録装置。
　　　　　記（相違点）
　〈相違点１〉
　本件発明１に係る上記相違点１と同じ。
　〈相違点２〉
　本件発明１に係る上記相違点２と同じ。
　〈相違点３〉
　本件発明２の内部メモリは、「
複数の画像ブロックを有し、それぞれの画像ブロックは所定フレーム数の圧縮画像データに相当する容量を持つ、
　（ｃ）相違点等の検討
　申立人が提出した証拠方法のいずれにも、上記相違点３に係る構成につき記載がない。本件発明２については、上記証拠方法に記載された発明に基づいて容易に発明をすることができたものである、とすることができない。
　（ｃ１）佐藤の甲１（刊行物１）には、３個のＤＲＡＭからなるフレームメモリが記載されており、各ＤＲＡＭを一つの「ブロック」ということができる。しかし、各ＤＲＡＭは一画面分の記憶容量を持つと記載されており、所定フレーム数（圧縮画像データ）に相当する容量を持つものではないから、本件発明２にいう「画像ブロック」に相当するものではない。
　（ｃ２）佐藤の甲７（刊行物７）には、全記憶領域を１２個の領域（＃１〜＃12）に区分した中間メモリ手段１２が記載されており、各領域を一つの「ブロック」ということができる。しかし、各領域には640画素×480画素の画像データ（即ち、１画面）が記憶できると記載されており、同じく、本件発明２にいう「画像ブロック」に相当するものではない。
　（ｃ３）金子の甲２（刊行物１０）には、リングバッファはフレームバッファを概念的に環状に配置した構成を持つことが記載されている。しかし、フレームバッファには「一定時間の動画の
各フレームの画像データ
　
（３−６）請求項３から請求項７まで、請求項８（請求項１を引用する部分を除く）および請求項９（請求項１を引用する部分を除く）に係る発明
　これらの請求項はいずれも請求項２を引用する請求項である。請求項２に係る発明について、上記証拠方法に記載された発明に基づいて容易に発明をすることができたものである、とすることができないことは前記のとおりであるから、同じ理由により、これらの請求項に係る発明についても、上記証拠方法に記載された発明に基づいて容易に発明をすることができたものである、とすることはできない。
　
第五．むすび
　以上のとおり、請求項１、請求項８（請求項１を引用する部分に限る）および請求項９（請求項１を引用する部分に限る）に係る特許は、いずれも、特許法第２９条第２項の規定に違反してされたものであり、取り消すべきものである。
　請求項２から請求項７まで、請求項８（請求項１を引用する部分を除く）および請求項９（請求項１を引用する部分を除く）に係る特許は、特許異議の申立ての理由および証拠方法によっては取り消すことはできない。また、他にこれらの特許を取り消すべき理由を発見しない。
　よって、結論のとおり決定をする。
【異議決定日】
平成１７年１１月４日（２００５．１１．４）